(57)【要約】【課題】成形板材が中空構造の一部を部分加飾成形範囲に含む場合であっても、中空構造の減圧状態変移による圧潰変形を回避して確実に部分加飾成形を行う。【解決手段】被着体の上部に囲い枠体（３３）を接触させて加飾成形範囲を囲い、被着体を収容して密閉状態の上空間（Ａ）と密閉状態の下空間とを形成し、密閉状態の下空間及び上空間（Ａ）を、互いに等圧の所定の第一圧力状態としたのちに、加飾フィルムと加飾成形範囲の被着体とに上下を囲われた密閉状態の囲い空間を形成する。そして囲い空間内を第一圧力状態に維持したまま、囲い空間周囲の下空間と上空間（Ａ）とを、前記減圧状態から瞬間的に加圧し、互いに等圧の第二圧力状態とすることによって、囲い空間の加飾成形範囲に加飾フィルムを部分加飾成形する。【選択図】  図３
2020049951.tif 000002
【特許請求の範囲】
【請求項１】
被着体の一端部寄りの所定範囲の面を加飾成形範囲とし、所定の部分加飾成形装置を用いて、
この加飾成形範囲に加飾フィルムを密着させて被着体を部分加飾成形する、加飾フィルムによる部分加飾成形方法であって、
前記所定の部分加飾成形装置は、
上開口した下空間を有し、この下空間内に、前記加飾成形範囲を上に向けた被着体を収容する下ボックスと、
下開口した上空間を有し、この下開口と前記下ボックスの前記上開口とを対向させ、下開口と上開口との間に加飾フィルムを挟んだ状態で、上空間を前記下空間の上部に密閉連成し得る上ボックスと、
前記被着体の加飾成形範囲の外縁を囲って被着体上部に接触配置される囲い枠体と、
加飾成形範囲の平面投影面積よりも大きい枠孔を有し、この枠孔内に、横方向に拡げた加飾フィルムの周部を保持して加飾フィルムを張架し得る保持枠と、
前記上ボックスが下ボックスの上部に密閉配置された状態で、上空間内及び下空間内の圧力を制御する圧力制御装置と、を具備してなり、
前記所定の部分加飾成形装置を用いて、
被着体の上部に囲い枠体を接触させて加飾成形範囲を囲い、かつ、下ボックス内に被着体及び囲い枠体を収容した状態とする収容工程と、
前記加飾成形範囲の平面投影面積よりも大きい加飾フィルムを、上開口の上方又は下開口の下方で横方向に拡げ、加飾フィルムの周部を保持枠で保持した状態とするフィルムセット工程と、
下ボックスの上開口と上ボックスの下開口とを対向させ、下開口と上開口との間に加飾フィルムを挟んで上空間と下空間とを互いに連通させた状態で上下に連成し、密閉状態の上空間と密閉状態の下空間とを形成する第一密閉工程と、
前記圧力制御装置によって、密閉状態の下空間及び密閉状態の上空間を、互いに連通させた状態のまま所定の第一圧力状態とする第一圧力調整工程と、
前記密閉状態の下空間において、加飾フィルム又はその周部の保持枠と、囲い枠体と、を互いに接触させ、囲い枠体の枠内部に密閉状態の囲い空間を区画形成する第二密閉工程と、
密閉状態の囲い空間内を第一圧力状態に維持したまま、前記圧力制御装置によって、前記密閉状態の囲い空間を除く密閉状態の下空間と密閉状態の上空間とを、前記第一圧力状態から瞬間的に加圧し、互いに等圧の第二圧力状態とする第二圧力調整工程と、からなる各工程を含み、
前記第二圧力調整工程によって、囲い空間の加飾成形範囲に加飾フィルムを部分加飾成形することを特徴とする、部分加飾成形方法。
【請求項２】
前記第一圧力調整工程は、囲い空間を除く密閉状態の下空間内及び密閉状態の上空間内を同時に吸引して、大気圧よりも減圧させた第一圧力状態とする工程であり、
前記第二圧力調整工程は、前記第一圧力調整工程で第一圧力状態とした、囲い空間を除く密閉状態の下空間内及び密閉状態の上空間を、同時に大気圧に開放して、大気圧と等圧の第二圧力状態とする工程である、請求項１記載の部分加飾成形方法。
【請求項３】
前記第一密閉工程は、横方向に拡げた加飾フィルムの縁部を、上下移動可能な保持枠によって保持固定し、
前記上空間と下空間とを連成することで、加飾フィルムを保持した保持枠を、前記下空間内ないし上空間内に収容するものであり、
前記第二密閉工程は、前記保持枠を下降させて、被着体の加飾成形範囲を含む接触上面又は被着体上に配置された囲い枠体の接触面と、前記保持枠の対向接触面と、を接触させることで、被着体の加飾成形範囲の接触上面と、囲い枠体の枠内面と、加飾フィルムの下面とによって囲まれた囲い空間を形成する、請求項１又は２記載の部分加飾成形方法。
【請求項４】
前記囲い枠体は、被着体上への配置接触部、又は保持枠の対向接触面への接触部の少なくともいずれかに、加圧接触によって弾性変形し得る弾性材を有してなり、
前記第二密閉工程は、被着体の加飾成形範囲を含む接触面又は被着体上に配置された囲い枠体の接触面と、前記保持枠の対向接触面と、を近接させて加圧接触させることで、被着体の加飾成形範囲の上面と、囲い枠体の枠内面と、加飾フィルムの下面とによって囲まれた囲い空間を気密形成する、請求項１、２、又は３のいずれか記載の部分加飾成形方法。
【請求項５】
被着体が加飾成形範囲を有する面の下部に開口部を有するものであって、
前記所定の部分加飾成形装置は、さらに、
前記被着体の開口部に係止して配設され、加飾成形範囲の外縁から被着体の平面視外方に一部分が突出し得る締付ベース体と、
締付ベース体と保持枠とを上下連結し、この上下連結距離を短縮させ得る連結棒と、を具備してなり、
前記収容工程は、締付ベース体を被着体の開口部に係止して配置した状態で、被着体を下ボックス内に収容するものであり、
前記フィルムセット工程は、保持枠を締付ベース体の上方かつ囲い枠体の上方に配置して、保持枠と締付ベース体とを、連結棒によって上下連結するものであり、
前記第二密閉工程は、上下連結した保持枠及び締付ベース体の上下連結距離を短縮させて、締付ベース体と保持枠との距離を近接させ、締付ベース体と保持枠とによって囲い枠体を上下に挟圧し、被着体の加飾成形範囲の上面と囲い枠体の枠内面と加飾フィルムとによって囲われた囲い空間を密閉形成する、請求項１、２、３、又は４のいずれか記載の部分加飾成形方法。
【請求項６】
被着体の一端部寄りの所定範囲の面を加飾成形範囲とし、所定の部分加飾成形装置を用いて、
この加飾成形範囲に加飾フィルムを密着させて被着体を部分加飾成形する、加飾フィルムによる部分加飾成形方法であって、
前記所定の部分加飾成形装置は、
上開口した下空間を有し、この下空間内に、前記加飾成形範囲を上に向けた被着体を収容する下ボックスと、
下開口した上空間を有し、この下開口と前記下ボックスの前記上開口とを対向させ、下開口と上開口との間に加飾フィルムを挟んだ状態で、上空間を前記下空間の上部に密閉連成し得る上ボックスと、
上開口した下区画空間を有して下ボックスの下空間内に配設され、この下区画空間によって下空間のうちの上部を区画し得るベース枠体と、
加飾成形範囲の平面投影面積よりも大きい枠孔を有し、この枠孔内に、横方向に拡げた加飾フィルムの周部を保持して加飾フィルムを張架し得る保持枠と、
前記上ボックスが下ボックスの上部に密閉配置された状態で、上空間内及び下区画空間内の圧力を制御する圧力制御装置と、を具備してなり、
前記所定の部分加飾成形装置を用いて、
下ボックス内に被着体を収容すると共にベース枠体を配設して下空間のうちの上部の下区画空間を区画し、前記被着体の加飾成形範囲を含む少なくとも一部分を、この下区画空間内に収容して支持した状態とする区画収容工程と、
前記加飾成形範囲の平面投影面積よりも大きい加飾フィルムを、上開口の上方又は下開口の下方で横方向に拡げ、加飾フィルムの周部を保持枠で保持した状態とするフィルムセット工程と、
下ボックスの上開口と上ボックスの下開口とを対向させ、下開口と上開口との間に加飾フィルムを挟んで上空間と下区画空間とを上下に連成し、密閉状態の上空間と密閉状態の下区画空間とを形成する第一密閉工程と、
前記圧力制御装置によって、密閉状態の下区画空間及び密閉状態の上空間を、大気圧よりも減圧させた、互いに等圧の所定の第一圧力状態とする第一圧力調整工程と、
前記密閉状態の下区画空間において、加飾フィルム又はその周部の保持枠と、ベース枠体と、を互いに接触させ、ベース枠体の枠内部に密閉状態の囲い空間を形成する第二密閉工程と、
密閉状態の囲い空間内を第一圧力状態に維持したまま、前記圧力制御装置によって、前記密閉状態の囲い空間を除く密閉状態の下区画空間と密閉状態の上空間とを、前記大気圧よりも減圧させた第一圧力状態から同時に大気圧に開放して瞬間的に加圧し、大気圧と等圧かつ互いに等圧の第二圧力状態とする第二圧力調整工程と、からなる各工程を含み、
前記第二圧力調整工程によって、囲い空間の加飾成形範囲に加飾フィルムを部分加飾成形することを特徴とする、加飾フィルムによる部分加飾成形方法。
【請求項７】
被着体の一端部寄りの所定範囲の面を加飾成形範囲とし、この加飾成形範囲に加飾フィルムを密着させて被着体を部分加飾成形する部分加飾成形装置であって、
上開口した下空間を有し、この下空間内に、前記加飾成形範囲を上に向けた被着体を収容する下ボックスと、
下開口した上空間を有し、この下開口と前記下ボックスの前記上開口とを対向させ、下開口（２０２）と上開口との間に加飾フィルムを挟んだ状態で、上空間を前記下空間の上部に密閉連成し得る上ボックスと、
前記被着体の加飾成形範囲の外縁を囲って被着体上部に接触配置される囲い枠体と、
加飾成形範囲の平面投影面積よりも大きい枠孔を有し、この枠孔内に、横方向に拡げた加飾フィルムの周部を保持して加飾フィルムを張架し得る保持枠と、
前記上ボックスが下ボックスの上部に密閉配置された状態で、上空間内及び下空間内の圧力を制御する圧力制御装置と、を具備してなり、
前記下ボックスは、被着体の上部に囲い枠体を接触させて加飾成形範囲を囲った状態で、下空間内に被着体及び囲い枠体を収容した状態とし得るものであり、
前記保持枠は、加飾成形範囲の平面投影面積よりも大きい加飾フィルムの周部を、上開口の上方又は下開口の下方で横方向に拡げて張架した状態で、枠孔内に保持した状態とし得るものであり、
前記下ボックス及び上ボックスは、対向させた下開口と上開口との間に、加飾フィルムを張架した保持枠を挟んで、上空間と下空間とを上下に連成して共に密閉状態とし得るものであり、
前記加飾フィルムを保持して張架した保持枠と、囲い枠体とは、密閉状態の下空間において接触することで、保持枠に保持して張架された加飾フィルムを囲い空間上縁とし、加飾成形範囲の被着体を囲い空間下縁として、囲い枠体の枠内部に密閉状態の囲い空間を形成するものであり、
前記圧力制御装置は、密閉状態の下空間及び密閉状態の上空間を、互いに等圧の所定の第一圧力状態とし得ると共に、密閉状態の囲い空間内を第一圧力状態に維持したまま、前記密閉状態の囲い空間を除く密閉状態の下空間と密閉状態の上空間とを、前記減圧状態から瞬間的に加圧し、互いに等圧の第二圧力状態とし得る、加飾フィルムの部分加飾成形装置。
【発明の詳細な説明】
【技術分野】
【０００１】
本発明は、下面に接着剤層が設けられた加飾シートを真空状態で被着体に被着して加飾成形する、加飾シートによる加飾成形方法、及びこの加飾成形方法に使用する加飾成形装置に関し、特に、中空構造を有した比較的大型の被着体を対象とし、被着体の部分的な表面に加飾成形する部分加飾成形方法、及びこの部分加飾成形方法に使用する部分加飾成形装置に関する。
【背景技術】
【０００２】
自動車の車体のような大型の被着体に対して部分的なフィルム加飾を行う部分オーバーレイ方法として、上部開口した収容チャンバーと下部開口した上ボックスとを、加飾フィルムを挟んだ状態で上下に組み合わせて、ボックス空間と収容空間とが上下に連成した成形空間を密閉形成し、この成形空間内の上下の空間に瞬間的な圧力差を生じさせることで、成形空間内に収容した被着体Ｗの一部表面に加飾フィルムを減圧密着させるものが開示される（特許文献１）。
【０００３】
また一方で、成形板材からなる大型の被着体においてはしばしば、成形面の裏側をロアパネルで補強し、アッパパネルとロアパネルとによって中空構造を形成したものが採用される。例えば自動車のフロントサスペンションメンバとして、アッパパネルとロアパネルとによって中空構造に形成され、横方向の各側部に前方のアーム取付け部と後方のアーム取付け部とを備えたものが開示される（特許文献２）。前記中空構造においては例えば、前方のアーム取付け部から前記後方のアーム取付け部へ実質的に直線状に伸びる縦壁を有しており、前記後方のアーム取付け部は、前記アッパパネルを横方向へ伸ばした部分と、前記ロアパネルに溶接され、横方向へ張り出されたブレースとによって形成される。
【先行技術文献】
【特許文献】
【０００４】
【特許文献１】特開２０１５−０４４２８５号公報
【特許文献２】特開平６−７２３５３号公報
【発明の概要】
【発明が解決しようとする課題】
【０００５】
しかしながら、成形板材が中空構造の一部を部分加飾成形範囲に含む場合には、加飾フィルムによって加飾成形する際、成形板材の裏側が瞬間的かつ急激に減圧されることで、中空構造が圧潰変形してしまう。すなわち、加飾フィルムによる加飾成形においては、加飾成形範囲の成形板材を収容する収容空間と、加飾フィルムを境とした収容空間上部の上ボックス空間とを等圧状態にしておき、この等圧状態から、収容空間内をボックス空間に対して大幅に減圧した減圧状態へと、急激に状態変移させる。この急激な状態変移の際に収容空間は瞬間的な減圧状態となるため、収容空間内に中空構造を有した被着体が収容される場合は、この中空構造が減圧状態変移によって圧潰するなど、減圧化による変形等の影響を受けてしてしまう。
【０００６】
この減圧による影響を回避するため、収容空間のうち中空構造の部分を上ボックス空間と通気バイパスして、中空構造の内部だけ部分的に上ボックス空間と等圧状態を保つ対策も考えられる。このような通気バイパスによって中空構造の内部だけ部分的に等圧状態を保つためには、中空構造を気密状態に保ち、中空構造の部分だけを上ボックス空間と等圧制御する構造が必要となる。
【０００７】
しかしながら、前記中空構造は、成形板材からなる被着体のアッパパネルの裏側からロアパネルをスポット溶接やブロック溶接して形成されることから、中空構造を構成するロアパネルの一部には、しばしばヌスミ孔等の孔部が形成されたり、或いはアッパパネルとの間に隙間を有したりする。このため、中空構造の気密状態を保つことは構造上極めて困難であった。
【０００８】
そこで本発明では、中空構造の一部を部分加飾成形範囲に含む場合であっても、中空構造の減圧状態変移による圧潰変形を回避して確実に部分加飾成形を行うことのできる部分加飾成形方法、及び部分加飾成形装置を提供することを課題とする。
【課題を解決するための手段】
【０００９】
上記課題を解決すべく以下の手段を講じている。
（１）被着体の一端部寄りの所定範囲の面を加飾成形範囲とし、所定の部分加飾成形装置を用いて、
この加飾成形範囲に加飾フィルムを密着させて被着体を部分加飾成形する、加飾フィルムによる部分加飾成形方法であって、
前記所定の部分加飾成形装置は、
上開口した下空間を有し、この下空間内に、前記加飾成形範囲を上に向けた被着体を収容する下ボックスと、
下開口した上空間を有し、この下開口と前記下ボックスの前記上開口とを対向させ、下開口と上開口との間に加飾フィルムを挟んだ状態で、上空間を前記下空間の上部に密閉連成し得る上ボックスと、
前記被着体の加飾成形範囲の外縁を囲って被着体上部に接触配置される囲い枠体と、
加飾成形範囲の平面投影面積よりも大きい枠孔を有し、この枠孔内に、横方向に拡げた加飾フィルムの周部を保持して加飾フィルムを張架し得る保持枠と、
前記上ボックスが下ボックスの上部に密閉配置された状態で、上空間内及び下空間内の圧力を制御する圧力制御装置と、を具備してなり、
前記所定の部分加飾成形装置を用いて、以下の各工程を順に具備することを特徴とする。
すなわち、被着体の上部に囲い枠体を接触させて加飾成形範囲を囲い、かつ、下ボックス内に被着体及び囲い枠体を収容した状態とする収容工程と、
前記加飾成形範囲の平面投影面積よりも大きい加飾フィルムを、上開口の上方又は下開口の下方で横方向に拡げ、加飾フィルムの周部を保持枠で保持した状態とするフィルムセット工程と、
下ボックスの上開口と上ボックスの下開口とを対向させ、下開口と上開口との間に加飾フィルムを挟んで上空間と下空間とを互いに連通させた状態で上下に連成し、密閉状態の上空間と密閉状態の下空間とを形成する第一密閉工程と、
前記圧力制御装置によって、密閉状態の下空間及び密閉状態の上空間を、互いに連通させた状態のまま所定の第一圧力状態とする第一圧力調整工程と、
前記密閉状態の下空間において、加飾フィルム又はその周部の保持枠と、囲い枠体と、を互いに接触させ、囲い枠体の枠内部に密閉状態の囲い空間を区画形成する第二密閉工程と、
密閉状態の囲い空間内を第一圧力状態に維持したまま、前記圧力制御装置によって、前記密閉状態の囲い空間を除く密閉状態の下空間と密閉状態の上空間とを、前記減圧状態から瞬間的に加圧し、互いに等圧の第二圧力状態とする第二圧力調整工程と、からなる各工程を含み、
前記第二圧力調整工程によって、囲い空間の加飾成形範囲に加飾フィルムを部分加飾成形することを特徴とする。
【００１０】
前記の第二密閉工程によれば、加飾成形範囲の加飾面のみを囲い枠で囲うことで、上部に加飾フィルムが張設された密閉状態の囲い空間を、第一圧力状態に制御された密閉状態の下空間内に形成することができる。前記の第二圧力調整工程によれば、密閉状態の囲い空間内を第一圧力状態に維持した状態のまま、上空間内を瞬間的に加圧することで、上空間と囲い空間の圧力差によって加飾成形範囲に瞬間的に加飾成形を行うことができる。また、前記の第二圧力調整工程によれば、上空間内と下空間内とを互いに等圧力のまま瞬間的に加圧することで、囲い空間を除く下空間内には急激な減圧化による圧潰等の影響が生じない。
【００１１】
このように上空間と下空間の間の第三の密閉空間として、下空間内に囲い空間を形成することにより、被着体の加飾面の裏側に窪みや孔や隙間がある場合であっても、第二圧力工程による急激な圧力差による影響を受けることがない。
また、被着体を受け冶具等で支える場合でも、被着体の下面側を同じ圧力とするための導圧回路を設ける必要がなく、被着体の減圧時の成形保持性能に拘らず、複雑な形状の被着体であっても、比較的簡易な構造で確実に被着体の部分加飾成形を行うことができる。例えば範囲の裏側に微細な穴ないし孔、溶接部、接着部、或いは内部空間が存在していた場合でも、被着面の部分加飾成形範囲において密閉状態の囲い空間が形成されることで、被着体の成形部分が変形したり欠損したりすることなく、また、圧力漏れが生じることもない。
【００１２】
（２）前記第一圧力工程は、囲い空間を除く密閉状態の下空間内及び密閉状態の上空間内を同時に吸引して、大気圧よりも減圧させた第一圧力状態とする工程であり、
前記第二圧力調整工程は、前記第一圧力調整工程で第一圧力状態とした、囲い空間を除く密閉状態の下空間内及び密閉状態の上空間を、同時に大気圧に開放して、大気圧と等圧の第二圧力状態とする工程であることが好ましい。
【００１３】
前記の工程であれば、圧力制御装置として少なくとも、上ボックス及び下ボックスに連通する連通管とこれに接続する減圧ポンプを有していればよく、簡易な機構をもって確実な圧力制御を行うことができる。
【００１４】
（３）前記第一密閉工程は、横方向に拡げた加飾フィルムの縁部を、上下移動可能な保持枠によって保持固定し、
前記上空間と下空間とを連成することで、加飾フィルムを保持した保持枠を、前記下空間内ないし上空間内に収容するものであり、
前記第二密閉工程は、前記保持枠を下降させて、被着体の加飾成形範囲を含む接触上面又は被着体上に配置された囲い枠体の接触面と、前記保持枠の対向接触面と、を接触させることで、被着体の加飾成形範囲の接触上面と、囲い枠体の枠内面と、加飾フィルムの下面とによって囲まれた囲い空間を形成するものであることが好ましい。
【００１５】
前記第一密閉工程によれば、上下移動可能な保持枠を、予め上開口の上部近傍ないし下開口の下部近傍に配置しており、この保持枠によって保持した加飾フィルムを、上下に密閉連成された上空間ないし下空間の内部に収容することとなる。この状態では下空間内に囲い空間は形成されておらず、その後の第一圧力調整工程によって、下空間全体が第一圧力状態に調整される。そして続く第二密閉工程によって、第一圧力状態で密閉された下空間内に、同じく第一圧力状態で密閉された囲い空間が形成される。密閉状態の下空間内で保持枠を上下移動させ、気密性を保つまで接触させることで、第一圧力状態の囲い空間が容易に形成されることとなる。また上下移動可能な保持枠を使用することで、被着体を上方へ大幅に動かすことなく、容易かつ確実に囲い空間を密閉形成することができる。
【００１６】
後述の実施例１では、連結棒を回転させ、保持枠を囲い枠体に接触するまで下降させることで、被着体上に配置された囲い枠体の上接触面と、保持枠下部の対向接触面と、を接触させる。加飾成形範囲の平面視外方の被着体上には予め囲い枠体が接触配置されており、保持枠の枠内部には予め加飾フィルムが張架してセットされている。このため、前記囲い枠体と保持枠との対向接触によって、被着体の加飾成形範囲と囲い枠体の枠内面と加飾フィルムとに囲われた囲い空間が密閉形成される（図９（ａ）（ｂ））。
【００１７】
また後述の実施例２では、規制アングルを下降させ、規制アングルの下部に接触させた保持枠をベース枠体の枠底面に近接するように下降させることで、被着体の加飾成形範囲を含む接触面と、加飾フィルムとを接触させる。前記保持枠の下降によって、被着体の加飾成形範囲と加飾フィルムとに囲われた囲い空間が密閉形成される（図１３（ｅ））。
【００１８】
（４）前記囲い枠体は、被着体上への配置接触部、又は保持枠の対向接触面への接触部の少なくともいずれかに、加圧接触によって弾性変形し得る弾性材を有してなり、
前記第二密閉工程は、被着体の加飾成形範囲を含む接触面又は被着体上に配置された囲い枠体の接触面と、前記保持枠の対向接触面と、を近接させて加圧接触させることで、被着体の加飾成形範囲の上面と、囲い枠体の枠内面と、加飾フィルムの下面とによって囲まれた囲い空間を気密形成するものであることが好ましい。
【００１９】
前記囲い枠体を用いた第二密閉工程であれば、下降した保持枠との接触状態、或いは被着体上の配置接触の状態に因らず、囲い空間をより確実に気密形成することができる。尚後述の実施例では、囲い枠体全体が、外接触部との気密性を保持する弾性材からなる。他の形態として、囲い枠体の外周部全体が、外接触部との気密性を保持する弾性材によって覆設されてなるものでもよい。
【００２０】
例えば後述の実施例１では、連結棒を回転させ、保持枠を締付ベース体に近接するように下降させることで、被着体上に配置された囲い枠体の接触面と、前記保持枠の対向接触面と、を近接させて加圧接触させると共に、被着体上に配置された囲い枠体の接触面と、被着体の対向接触面と、を近接させて加圧接触させる。
【００２１】
（５）被着体が加飾成形範囲を有する面の下部に開口部を有するものであって、
前記所定の部分加飾成形装置は、さらに、
前記被着体の開口部に係止して配設され、加飾成形範囲の外縁から被着体の平面視外方に一部分が突出し得る締付ベース体と、
締付ベース体と保持枠とを上下連結し、この上下連結距離を短縮させ得る連結棒と、を具備してなり、
前記収容工程は、締付ベース体を被着体の開口部に係止して配置した状態で、被着体を下ボックス内に収容するものであり、
前記フィルムセット工程は、保持枠を締付ベース体の上方かつ囲い枠体の上方に配置して、保持枠と締付ベース体とを、連結棒によって上下連結するものであり、
前記第二密閉工程は、上下連結した保持枠及び締付ベース体の上下連結距離を短縮させて、締付ベース体と保持枠との距離を近接させ、締付ベース体と保持枠とによって囲い枠体を上下に挟圧し、被着体の加飾成形範囲の上面と囲い枠体の枠内面と加飾フィルムとによって囲われた囲い空間を密閉形成することが好ましい。
【００２２】
上記構成であれば、締付ベース体と保持枠とによって、囲い枠体及び囲い枠体で囲んだ被着体の加飾成形範囲の部分を挟み込むことで、囲い空間を、簡易にかつ確実に密閉形成することができる。
【００２３】
例えば後述の実施例１では、連結棒を回転させ、保持枠を締付ベース体に近接するように下降させることで、加飾成形範囲下部の締付ベース体と、加飾成形範囲上部の保持枠との距離を近接させ、これら締付ベース体と保持枠とで囲い枠体を上下に挟圧し、加飾成形範囲と囲い枠体の枠内面と加飾フィルムとによって囲われた囲い空間を密閉形成する。
（６）  被着体の一端部寄りの所定範囲の面を加飾成形範囲とし、所定の部分加飾成形装置を用いて、
この加飾成形範囲に加飾フィルムを密着させて被着体を部分加飾成形する、加飾フィルムによる部分加飾成形方法であって、
前記所定の部分加飾成形装置は、
上開口した下空間を有し、この下空間内に、前記加飾成形範囲を上に向けた被着体を収容する下ボックスと、
下開口した上空間を有し、この下開口と前記下ボックスの前記上開口とを対向させ、下開口と上開口との間に加飾フィルムを挟んだ状態で、上空間を前記下空間の上部に密閉連成し得る上ボックスと、
上開口した下区画空間を有して下ボックスの下空間内に配設され、この下区画空間によって下空間のうちの上部を区画し得るベース枠体と、
加飾成形範囲の平面投影面積よりも大きい枠孔を有し、この枠孔内に、横方向に拡げた加飾フィルムの周部を保持して加飾フィルムを張架し得る保持枠と、
前記上ボックスが下ボックスの上部に密閉配置された状態で、上空間内及び下区画空間内の圧力を制御する圧力制御装置と、を具備してなり、
前記所定の部分加飾成形装置を用いて、
下ボックス内に被着体を収容すると共にベース枠体を配設して下空間のうちの上部の下区画空間を区画し、前記被着体の加飾成形範囲を含む少なくとも一部分を、この下区画空間内に収容して支持した状態とする区画収容工程と、
前記加飾成形範囲の平面投影面積よりも大きい加飾フィルムを、上開口の上方又は下開口の下方で横方向に拡げ、加飾フィルムの周部を保持枠で保持した状態とするフィルムセット工程と、
下ボックスの上開口と上ボックスの下開口とを対向させ、下開口と上開口との間に加飾フィルムを挟んで上空間と下区画空間とを上下に連成し、密閉状態の上空間と密閉状態の下区画空間とを形成する第一密閉工程と、
前記圧力制御装置によって、密閉状態の下区画空間及び密閉状態の上空間を、大気圧よりも減圧させた、互いに等圧の所定の第一圧力状態とする第一圧力調整工程と、
前記密閉状態の下区画空間において、加飾フィルム又はその周部の保持枠と、ベース枠体と、を互いに接触させ、ベース枠体の枠内部に密閉状態の囲い空間を形成する第二密閉工程と、
密閉状態の囲い空間内を第一圧力状態に維持したまま、前記圧力制御装置によって、前記密閉状態の囲い空間を除く密閉状態の下区画空間と密閉状態の上空間とを、前記大気圧よりも減圧させた第一圧力状態から同時に大気圧に開放して瞬間的に加圧し、大気圧と等圧かつ互いに等圧の第二圧力状態とする第二圧力調整工程と、からなる各工程を含み、
前記第二圧力調整工程によって、囲い空間の加飾成形範囲に加飾フィルムを部分加飾成形することを特徴とする、加飾フィルムによる部分加飾成形方法。
【００２４】
前記の第二密閉工程によれば、加飾成形範囲の加飾面のみを囲い枠で囲うことで、上部に加飾フィルムが張設された密閉状態の囲い空間を、第一圧力状態に制御された密閉状態の下区画空間内に形成することができる。前記の第二圧力調整工程によれば、密閉状態の囲い空間内を第一圧力状態に維持した状態のまま、上空間内を瞬間的に加圧することで、上空間と囲い空間の圧力差によって加飾成形範囲に瞬間的に加飾成形を行うことができる。また、前記の第二圧力調整工程によれば、上空間内と下区画空間内とを互いに等圧力のまま瞬間的に加圧することで、囲い空間を除く下区画空間内には圧力差による影響が生じない。
【００２５】
このように上空間と下区画空間の間の第三の密閉空間として、下区画空間内に囲い空間を形成することにより、被着体の加飾面の裏側に窪みや孔や隙間がある場合であっても、第二圧力工程による急激な圧力差による影響を受けることがない。
また、被着体を受け冶具等で支える場合でも、被着体の下面側を同じ圧力とするための導圧回路を設ける必要がなく、被着体の減圧時の成形保持性能に拘らず、複雑な形状の被着体であっても、比較的簡易な構造で確実に被着体の部分加飾成形を行うことができる。例えば範囲の裏側に微細な穴ないし孔、溶接部、接着部、或いは内部空間が存在していた場合でも、被着面の部分加飾成形範囲において密閉状態の囲い空間が形成されることで、被着体の成形部分が変形したり欠損したりすることなく、また、圧力漏れが生じることもない。
【００２６】
（７）本発明の部分加飾成形装置は、
被着体の一端部寄りの所定範囲の面を加飾成形範囲とし、この加飾成形範囲に加飾フィルムを密着させて被着体を部分加飾成形する部分加飾成形装置であって、
上開口した下空間を有し、この下空間内に、前記加飾成形範囲を上に向けた被着体を収容する下ボックスと、
下開口した上空間を有し、この下開口と前記下ボックスの前記上開口とを対向させ、下開口と上開口との間に加飾フィルムを挟んだ状態で、上空間を前記下空間の上部に密閉連成し得る上ボックスと、
前記被着体の加飾成形範囲の外縁を囲って被着体上部に接触配置される囲い枠体と、
加飾成形範囲の平面投影面積よりも大きい枠孔を有し、この枠孔内に、横方向に拡げた加飾フィルムの周部を保持して加飾フィルムを張架し得る保持枠と、
前記上ボックスが下ボックスの上部に密閉配置された状態で、上空間内及び下空間内の圧力を制御する圧力制御装置と、を具備してなり、
前記下ボックスは、被着体の上部に囲い枠体を接触させて加飾成形範囲を囲った状態で、下空間内に被着体及び囲い枠体を収容した状態とし得るものであり、
前記保持枠は、加飾成形範囲の平面投影面積よりも大きい加飾フィルムの周部を、上開口の上方又は下開口の下方で横方向に拡げて張架した状態で、枠孔内に保持した状態とし得るものであり、
前記下ボックス及び上ボックスは、対向させた下開口と上開口との間に、加飾フィルムを張架した保持枠を挟んで、上空間と下空間とを上下に連成して共に密閉状態とし得るものであり、
前記加飾フィルムを保持して張架した保持枠と、囲い枠体とは、密閉状態の下空間において接触することで、保持枠に保持して張架された加飾フィルムを囲い空間上縁とし、加飾成形範囲の被着体を囲い空間下縁として、囲い枠体の枠内部に密閉状態の囲い空間を形成するものであり、
前記圧力制御装置は、密閉状態の下空間及び密閉状態の上空間を、互いに等圧の所定の第一圧力状態とし得ると共に、密閉状態の囲い空間内を第一圧力状態に維持したまま、前記密閉状態の囲い空間を除く密閉状態の下空間と密閉状態の上空間とを、前記減圧状態から瞬間的に加圧し、互いに等圧の第二圧力状態とし得ることを特徴とする。
【発明の効果】
【００２７】
本発明は、上記構成によって、上空間と下空間の間の第三の密閉空間として、加飾フィルムと被着体の加飾成形範囲とに囲まれた囲い空間を形成し、囲い空間とその周囲の上空間及び下空間とで圧力差を生じさせて加飾成形している。これにより、被着体の加飾面の裏側に窪みや孔や隙間がある場合であっても、第二圧力工程による急激な圧力差による影響を受けることがないものとなった。また、被着体を受け冶具等で支える場合でも、被着体の下面側を同じ圧力とするための導圧回路を受け冶具等に設ける必要がなく、複雑な形状の被着体であっても、比較的簡易な構造で確実に被着体の部分加飾成形を行うことができるものとなった。これにより、例えば範囲の裏側に微細な穴ないし孔、溶接部、接着部、或いは内部空間が存在していた場合でも、被着面の部分加飾成形範囲において密閉状態の囲い空間が形成されることで、被着体の成形部分が変形したり欠損したりすることなく、また、圧力漏れが生じることもなく、確実に圧力差による加飾成形を行うことができるものとなった。
【図面の簡単な説明】
【００２８】
【図１】本発明の実施例１の部分加飾成形装置の斜視外観図
【図２】実施例１の部分加飾成形装置の収容前工程を示す斜視部分説明図
【図３】実施例１の部分加飾成形装置の収容工程を示す斜視部分説明図
【図４】実施例１の部分加飾成形装置の収容工程の直前の状態を示す縦断面説明図
【図５】実施例１の部分加飾成形装置の収容工程の直後の状態を示す縦断面説明図
【図６】実施例１の部分加飾成形装置のフィルムセット工程の途中の状態を示す縦断面説明図
【図７】実施例１の部分加飾成形装置の収容工程の直後の状態を示す縦断面説明図
【図８】実施例１の部分加飾成形装置の密閉工程の直後の状態を示す縦断面説明図
【図９】実施例１の部分加飾成形装置の第一圧力調整工程の後の状態を示す縦断面説明図
【図１０】実施例１の部分加飾成形装置の第二圧力調整工程の後の状態を示す縦断面説明図
【図１１】実施例２の部分加飾成形装置の収容前工程及びフィルムセット工程途中の角状体を示す斜視部分説明図
【図１２】実施例２の部分加飾成形装置のフィルムセット工程及び第一密閉工程後の各状態を示す斜視部分説明図
【図１３】実施例２の部分加飾成形装置の第二密閉工程及び第二圧力調整工程後の各状態を示す斜視部分説明図
【図１４】実施例３の部分加飾成形装置の収容前工程を示す斜視説明図
【図１５】実施例３の部分加飾成形装置の収容前工程を示す斜視説明図
【図１６】実施例３の部分加飾成形装置の収容前工程を示す斜視説明図
【図１７】実施例３の部分加飾成形装置の収容前工程を示す斜視説明図
【図１８】実施例３の部分加飾成形装置の収容前工程を示す斜視説明図
【図１９】実施例３の部分加飾成形装置の収容前工程を示す斜視説明図
【図２０】実施例３の部分加飾成形装置の収容前工程を示す斜視説明図
【図２１】実施例３の部分加飾成形装置の収容前工程を示す斜視説明図
【図２２】実施例３の部分加飾成形装置の第二圧力調整工程後の状態を示す斜視説明図
【図２３】実施例３の部分加飾成形装置の第二圧力調整工程後の状態を示す斜視説明図
【図２４】実施例３の部分加飾成形装置の第二圧力調整工程後の状態を示す斜視説明図
【発明を実施するための最良の形態】
【００２９】
以下本発明の最良の形態につき、実施例１及び２として示す説明図と共に説明する。なお、以下に括弧付きで示す数字やアルファベットは図面参照のために便宜的に付した符号であり、構成の名称を特定し或いは内容を実施例の形態に限定するものではない。
【００３０】
いずれの実施例においても、本発明の部分加飾成形方法は、被着体の一端部寄りの所定範囲の面を加飾成形範囲とし、本発明の所定の部分加飾成形装置を用いて、この加飾成形範囲に加飾フィルムを密着させて被着体を部分加飾成形する、加飾フィルムによる部分加飾成形方法である。特に、加飾成形範囲の成形板材の一部に中空構造を有する被着体を、部分加飾成形の対象物とし、また特に、被着体の表面全体ではなく表面の一部である所定範囲を部分加飾成形範囲として、この部分加飾成形範囲にのみ加飾成形を行う部分加飾成形方法である。被着体として特に、後述の実施例１のように加飾成形範囲を有する面の下部に開口部を有するものを使用することができる。
【００３１】
本発明の前記所定の部分加飾成形装置は、少なくとも、
上開口した下空間を有し、この下空間内に、前記加飾成形範囲を上に向けた被着体を収容する下ボックスと、
下開口した上空間を有し、この下開口と前記下ボックスの前記上開口とを対向させ、下開口と上開口との間に加飾フィルムを挟んだ状態で、上空間を前記下空間の上部に密閉連成し得る上ボックスと、
加飾成形範囲の平面投影面積よりも大きい枠孔を有し、この枠孔内に、横方向に拡げた加飾フィルムの周部を保持して加飾フィルムを張架し得る保持枠と、
前記上ボックスが下ボックスの上部に密閉配置された状態で、上空間内及び下空間内の圧力を制御する圧力制御装置と、を具備してなる。
【００３２】
本発明の部分加飾成形方法は、前記所定の部分加飾成形装置を用いて、少なくとも以下の各工程を行う。
すなわち、被着体の上部に囲い枠体を接触させて加飾成形範囲を囲い、かつ、下ボックス内に被着体を収容した状態とする収容工程と、
前記加飾成形範囲の平面投影面積よりも大きい加飾フィルムを、上開口の上方又は下開口の下方で横方向に拡げ、加飾フィルムの周部を保持枠で保持した状態とするフィルムセット工程と、
下ボックスの上開口と上ボックスの下開口とを対向させ、下開口と上開口との間に加飾フィルムを挟んで上空間と下空間とを上下に連成し、密閉状態の上空間と密閉状態の下空間とを形成する第一密閉工程と、
前記圧力制御装置によって、密閉状態の下空間及び密閉状態の上空間を、互いに等圧の所定の第一圧力状態とする第一圧力調整工程と、
前記密閉状態の下空間において、加飾フィルム又はその周部の保持枠と、被着体とを近接させ、被着体上の加飾成形範囲とその上方を覆う加飾フィルムとによって上下を囲われた、密閉状態の囲い空間を形成する第二密閉工程と、
密閉状態の囲い空間内を第一圧力状態に維持したまま、前記圧力制御装置によって、前記密閉状態の囲い空間を除く密閉状態の下空間と密閉状態の上空間とを、前記減圧状態から瞬間的に加圧し、互いに等圧の第二圧力状態とする第二圧力調整工程と、からなる各工程である。
【００３３】
本発明の加飾成形方法は、上記第二密閉工程よって、下空間内に密閉状態の囲い空間を形成し、さらに上記第二圧力調整工程によって、囲い空間のみを周囲の上空間及び下空間に対し減圧状態に状態変移させることで、密閉状態に囲われた囲い空間下縁の加飾成形範囲に加飾フィルムを部分加飾成形する。密閉空間の下空間、密閉空間の上空間の他に、３つ目の密閉空間である囲い空間を形成し、この囲い空間のみを減圧状態に瞬間状態変移させるため、加飾成形範囲の成形板材の下部に中空構造を含んでいたとしても、当該中空構造は下空間に含まれることとなり、減圧変移による中空構造の減圧による圧潰等の影響を回避することができる。
【００３４】
上記中空空間の形成手段として、実施例１では、加飾成形範囲の外周を囲って被着体上に配置された囲い枠体と、横方向すなわち略水平方向に張架させた加飾フィルムを保持したまま囲い枠体上方から囲い枠体に降下接触させる上下可動式の保持枠と、を備えてなる。また上記中空空間の形成手段として、実施例２では、加飾成形範囲の外周を囲って下空間の上半部を区画するベース枠体と、横方向すなわち略水平方向に張架させた加飾フィルムを保持したまま被着体上方から被着体に降下接触させる上下可動式の保持枠と、を備えてなる。なお、実施例２の構造においてさらに加飾成形範囲の外周を囲って被着体上に配置された囲い枠体を備えてもよい。
以下、実施例の各構成につき詳述する。
【実施例１】
【００３５】
図１〜図１０に示す実施例１の部分加飾成形装置は、被着体（Ｗ）の一端部寄りの所定範囲の面を加飾成形範囲（ＭＡ）とし、この加飾成形範囲（ＭＡ）に加飾フィルム（Ｆ）を密着させて被着体（Ｗ）を部分加飾成形する部分加飾成形装置であって、
上開口した下空間を有し、この下空間内に、前記加飾成形範囲（ＭＡ）を上に向けた被着体（Ｗ）を収容する下ボックス（１）と、
下開口した上空間（Ａ）を有し、この下開口と前記下ボックス（１）の前記上開口とを対向させ、下開口と上開口との間に加飾フィルム（Ｆ）を挟んだ状態で、上空間（Ａ）を前記下空間の上部に密閉連成し得る上ボックス（２）と、
加飾成形範囲（ＭＡ）の平面投影面積よりも大きい枠孔を有し、この枠孔内に、横方向に拡げた加飾フィルム（Ｆ）の周部を保持して加飾フィルム（Ｆ）を張架し得る保持枠（３２）と、
前記上ボックス（２）が下ボックス（１）の上部に密閉配置された状態で、上空間（Ａ）内及び下空間内の圧力を制御する圧力制御装置と、を具備し、これらの構造に加えてさらに、
前記被着体（Ｗ）の加飾成形範囲（ＭＡ）の外縁を囲って被着体（Ｗ）上部に接触配置される囲い枠体（３３）と、
前記被着体（Ｗ）の開口部（ＷＨ１）に係止して配設され、加飾成形範囲（ＭＡ）の外縁から被着体（Ｗ）の平面視外方に一部分が突出し得る締付ベース体（３）と、
締付ベース体（３）と保持枠（３２）とを上下連結し、この上下連結距離を短縮させ得る連結棒と、を具備してなる。
【００３６】
下ボックス（１）及び上ボックス（２）は、対向させた下開口と上開口との間に、加飾フィルム（Ｆ）を張架した保持枠（３２）を挟んで、上空間（Ａ）と下空間とを上下に連成して共に密閉状態とし得る。
【００３７】
（下ボックス（１））
下ボックス（１）は、図1〜３又は図４〜５に示すように、大型の被着体（Ｗ）全体を収容し得る下空間（Ｂ）を有した箱型の六面体において、前面と上面の2面にそれぞれ前開口（１０１）と上開口（１０２）とが形成され、さらに、前開口（１０１）を密閉閉塞可能な前扉（１４）と、底内に引き出し可能に収容された底板（１３）とがスライド移動可能に付属される。また箱型の六面体の周囲を囲って作業用足場（１５Ｆ）と作業用足場（１５Ｆ）に連なる昇降階段（１５Ｓ）とが設けられる。前扉（１４）は、開状態（Ｏ）では下ボックス（１）の片側部に固定されたスライド台（２４）の前面にスライド移動し（図２〜図４）、閉状態（Ｓ）では前開口（１０１）全体を塞ぐように下ボックス（１）の前面にスライド移動する（図５）。なお、このスライド移動はスライド台（２４）の前面に水平形成された扉レール（２４１）によってスライド方向が規制され、閉状態（Ｓ）ではガスケット（１４１）によって前開口（１０１）を密閉状態で閉塞する。
底板（１３）は前開口（１０１）が開状態（Ｏ）のときに前開口よりも前方へ引き出し可能にスライド支持され、引き出し状態（Ｏ）で被着体（Ｗ）を載置したのちに収納状態（Ｉ）で被着体（Ｗ）を下ボックス（１）内に収容する（図２〜３、図４〜５）。下ボックス（１）の側部には、図示しない圧力制御装置に連通した連通管（１Ｐ）が接続される。
【００３８】
図２に示す前セット工程においては、この下ボックス（１）の底板（１３）を引き出し状態として底板状に被着体（Ｗ）を載置し、被着体（Ｗ）の開口部（ＷＨ１，ＷＨ２，ＷＨ３）に２本の板状の締付ベース体（３１）を挿通させて、締付ベース体（３１）の両端の接続孔（３１Ｃ）が被着体（Ｗ）の左右に突出した状態とする。２本の締付ベース体（３１）は被着体（Ｗ）の側部に突出した接続孔（３１Ｃ）同士を連結器（３１２）で連結させておく。
【００３９】
そして図３に示す収容工程において、被着体（Ｗ）の上部に囲い枠体（３３）たる気密枠（３３）を接触させて加飾成形範囲（ＭＡ）を囲った状態とし、下空間内に被着体（Ｗ）及び囲い枠体（３３）を収容した状態とする。このとき連結器（３１２）を取り外し、締付ベース体（３１）の高さを規制する縦方向の連結棒（３４）を接続孔（３１Ｃ）に接続する。また、続く保持工程のために、上開口（１０２）の開口上部近傍に下保持枠（３２１）をセットする。
【００４０】
（上ボックス）
上ボックス（２）は、スライド台（２４）上を左右にスライド移動可能なスライド保持枠の上側部に支持されると共に、支持アーム（２１１）によって上下に昇降移動可能に支持される。上ボックス（２）の側部には、図示しない圧力制御装置に連通した連通管（１Ｐ）が接続される。上ボックス（２）は方形の天板の四方を縦方向の側枠（２１）で囲われることで、内部の上空間（Ａ）を有する。側枠（２１）の枠下面（２２）が下ボックスの側上面（１２）に対向してなる。図８に示す第一密閉工程において上ボックス（２）の枠下面（２２）と下ボックスの側上面（１２）とが、保持規制体（４）の保持バンド（４１）を挟んで当接し、上空間及び下空間の密閉状態を形成する。
【００４１】
上空間内には、保持した加飾フィルム（Ｆ）を加熱する加熱ヒーター（２Ｈ）が配置される。加熱ヒーター（２Ｈ）は第一密閉工程の後に加飾フィルム（Ｆ）を加熱してドローダウン状態の加飾フィルム（Ｆ´）とする。ドローダウン状態の加飾フィルム（Ｆ´）は半溶融化することで自重によって湾曲した垂れ下がり状態と成り、圧力変動時に加飾成形可能な状態となっている（図９）。
（保持枠（３２））
保持枠（３２）は、加飾成形範囲（ＭＡ）の平面投影面積よりも大きい加飾フィルム（Ｆ）の周部を、上開口の上方又は下開口の下方で横方向に拡げて張架した状態で、枠孔内に保持した状態とし得る。
【００４２】
（囲い枠体（３３））
囲い枠体（３３）は、加飾成形範囲（ＭＡ）の平面投影面積よりも大きい枠孔（３３０）を有して平面視四方枠状に一体形成された方形枠である。枠内面（３３1）は枠孔中心方向寄り且つ上方寄りの斜め方向を法線とする傾斜面で形成され、解放状態で所定の枠高さ（３３Ｈ）を有してなる。囲い枠体（３３）は弾性材で周囲をおおわれてなり、図９に示す第二密閉工程において弾性変形することで、枠高さ（３３Ｈ）は圧縮されたより小さい枠高さ（３３Ｈ´）となる。
【００４３】
（囲い空間（Ｃ））
加飾フィルム（Ｆ）を保持して張架した保持枠（３２）と、囲い枠体（３３）とは、密閉状態の下空間において接触することで、保持枠（３２）に保持して張架された加飾フィルム（Ｆ）を囲い空間（Ｃ）上縁とし、加飾成形範囲（ＭＡ）の被着体（Ｗ）を囲い空間（Ｃ）下縁として、囲い枠体（３３）の枠内部に密閉状態の囲い空間（Ｃ）を形成する。
【００４４】
（圧力制御装置）
圧力制御装置は、密閉状態の下空間及び密閉状態の上空間（Ａ）を、互いに等圧の所定の第一圧力状態とし得ると共に、密閉状態の囲い空間（Ｃ）内を第一圧力状態に維持したまま、前記密閉状態の囲い空間（Ｃ）を除く密閉状態の下空間と密閉状態の上空間（Ａ）とを、前記減圧状態から瞬間的に加圧し、互いに等圧の第二圧力状態とし得る。
（部分加飾成形方法）また本発明の実施例１の部分加飾成形方法は、前記所定の部分加飾成形装置を用いて、囲い空間（Ｃ）の加飾成形範囲（ＭＡ）に加飾フィルム（Ｆ）を部分加飾成形する方法であって、以下の各工程を含む。
被着体（Ｗ）の上部に囲い枠体（３３）を接触させて加飾成形範囲（ＭＡ）を囲い、かつ、下ボックス（１）内に被着体（Ｗ）及び囲い枠体（３３）を収容した状態とする収容工程と、
前記加飾成形範囲（ＭＡ）の平面投影面積よりも大きい加飾フィルム（Ｆ）を、上開口の上方又は下開口の下方で横方向に拡げ、加飾フィルム（Ｆ）の周部を保持枠（３２）で保持した状態とするフィルムセット工程と、
下ボックス（１）の上開口と上ボックス（２）の下開口とを対向させ、下開口と上開口との間に加飾フィルム（Ｆ）を挟んで上空間（Ａ）と下空間とを上下に連成し、密閉状態の上空間（Ａ）と密閉状態の下空間とを形成する第一密閉工程と、
前記圧力制御装置によって、密閉状態の下空間及び密閉状態の上空間（Ａ）を、互いに等圧の所定の第一圧力状態とする第一圧力調整工程と、
前記密閉状態の下空間において、加飾フィルム（Ｆ）又はその周部の保持枠（３２）と、囲い枠体（３３）と、を互いに接触させ、囲い枠体（３３）の枠内部に密閉状態の囲い空間（Ｃ）を形成する第二密閉工程と、
密閉状態の囲い空間（Ｃ）内を第一圧力状態に維持したまま、前記圧力制御装置によって、前記密閉状態の囲い空間（Ｃ）を除く密閉状態の下空間と密閉状態の上空間（Ａ）とを、前記減圧状態から瞬間的に加圧し、互いに等圧の第二圧力状態とする第二圧力調整工程と、からなる各工程を含む。
【００４５】
前記の第二密閉工程によれば、加飾成形範囲（ＭＡ）の加飾面のみを囲い枠で囲うことで、上部に加飾フィルム（Ｆ）が張設された密閉状態の囲い空間（Ｃ）を、第一圧力状態に制御された密閉状態の下空間内に形成することができる。前記の第二圧力調整工程によれば、密閉状態の囲い空間（Ｃ）内を第一圧力状態に維持した状態のまま、上空間（Ａ）内を瞬間的に加圧することで、上空間（Ａ）と囲い空間（Ｃ）の圧力差によって加飾成形範囲（ＭＡ）に瞬間的に加飾成形を行うことができる。また、前記の第二圧力調整工程によれば、上空間（Ａ）内と下空間内とを互いに等圧力のまま瞬間的に加圧することで、囲い空間（Ｃ）を除く下空間（Ｂ）内には圧力差による影響が生じない。
【００４６】
このように上空間（Ａ）と下空間の間の第三の密閉空間として、下空間内に囲い空間（Ｃ）を形成することにより、被着体（Ｗ）の加飾面の裏側に窪みや孔や隙間がある場合であっても、第二圧力工程による急激な圧力差による影響を受けることがない。
また、被着体（Ｗ）を受け冶具等で支える場合でも、被着体（Ｗ）の下面側を同じ圧力とするための導圧回路を設ける必要がなく、被着体（Ｗ）の減圧時の成形保持性能に拘らず、複雑な形状の被着体（Ｗ）であっても、比較的簡易な構造で確実に被着体（Ｗ）の部分加飾成形を行うことができる。例えば範囲の裏側に微細な穴ないし孔、溶接部、接着部、或いは内部空間が存在していた場合でも、被着面の部分加飾成形範囲（ＭＡ）において密閉状態の囲い空間（Ｃ）が形成されることで、被着体（Ｗ）の成形部分が変形したり欠損したりすることなく、また、圧力漏れが生じることもない。
（第一圧力工程、第二圧力調整工程）
前記第一圧力工程は、囲い空間（Ｃ）を除く密閉状態の下空間内及び密閉状態の上空間（Ａ）内を同時に吸引して、大気圧よりも減圧させた第一圧力状態とする工程であり、
前記第二圧力調整工程は、前記第一圧力調整工程で第一圧力状態とした、囲い空間（Ｃ）を除く密閉状態の下空間内及び密閉状態の上空間（Ａ）を、同時に大気圧に開放して、大気圧と等圧の第二圧力状態とする工程である。前記の工程であれば、圧力制御装置として少なくとも、上ボックス（２）及び下ボックス（１）に連通する連通管とこれに接続する減圧ポンプを有していればよく、簡易な機構をもって確実な圧力制御を行うことができる。
（囲い空間（Ｃ）の形成）
前記第一密閉工程は、横方向に拡げた加飾フィルム（Ｆ）の縁部を、上下移動可能な保持枠（３２）によって保持固定し、
前記上空間（Ａ）と下空間とを連成することで、加飾フィルム（Ｆ）を保持した保持枠（３２）を、前記下空間内ないし上空間（Ａ）内に収容するものであり、
前記第二密閉工程は、前記保持枠（３２）を下降させて、被着体（Ｗ）の加飾成形範囲（ＭＡ）を含む接触上面又は被着体（Ｗ）上に配置された囲い枠体（３３）の接触面と、前記保持枠（３２）の対向接触面と、を接触させることで、被着体（Ｗ）の加飾成形範囲（ＭＡ）の接触上面と、囲い枠体（３３）の枠内面と、加飾フィルム（Ｆ）の下面とによって囲まれた囲い空間（Ｃ）を形成するものである。
【００４７】
前記第一密閉工程によれば、上下移動可能な保持枠（３２）を、予め上開口の上部近傍ないし下開口の下部近傍に配置しており、この保持枠（３２）によって保持した加飾フィルム（Ｆ）を、上下に密閉連成された上空間（Ａ）ないし下空間の内部に収容することとなる。この状態では下空間内に囲い空間（Ｃ）は形成されておらず、その後の第一圧力調整工程によって、下空間全体が第一圧力状態に調整される。そして続く第二密閉工程によって、第一圧力状態で密閉された下空間内に、同じく第一圧力状態で密閉された囲い空間（Ｃ）が形成される。密閉状態の下空間内で保持枠（３２）を上下移動させ、気密性を保つまで接触させることで、第一圧力状態の囲い空間（Ｃ）が容易に形成されることとなる。また上下移動可能な保持枠（３２）を使用することで、被着体（Ｗ）を上方へ大幅に動かすことなく、容易かつ確実に囲い空間（Ｃ）を密閉形成することができる。
【００４８】
特に実施例１では、連結棒を回転させ、保持枠（３２）を囲い枠体（３３）に接触するまで下降させることで、被着体（Ｗ）上に配置された囲い枠体（３３）の上接触面と、保持枠（３２）下部の対向接触面と、を接触させる。加飾成形範囲（ＭＡ）の平面視外方の被着体（Ｗ）上には予め囲い枠体（３３）が接触配置されており、保持枠（３２）の枠内部には予め加飾フィルム（Ｆ）が張架してセットされている。このため、前記囲い枠体（３３）と保持枠（３２）との対向接触によって、被着体（Ｗ）の加飾成形範囲（ＭＡ）と囲い枠体（３３）の枠内面と加飾フィルム（Ｆ）とに囲われた囲い空間（Ｃ）が密閉形成される（図９（ａ）（ｂ））。
（囲い枠体（３３））
前記囲い枠体（３３）は、被着体（Ｗ）上への配置接触部、又は保持枠（３２）の対向接触面への接触部の少なくともいずれかに、加圧接触によって弾性変形し得る弾性材を有してなり、
前記第二密閉工程は、被着体（Ｗ）の加飾成形範囲（ＭＡ）を含む接触面又は被着体（Ｗ）上に配置された囲い枠体（３３）の接触面と、前記保持枠（３２）の対向接触面と、を近接させて加圧接触させることで、被着体（Ｗ）の加飾成形範囲（ＭＡ）の上面と、囲い枠体（３３）の枠内面と、加飾フィルム（Ｆ）の下面とによって囲まれた囲い空間（Ｃ）を気密形成するものである。
【００４９】
前記囲い枠体（３３）を用いた第二密閉工程であれば、下降した保持枠（３２）との接触状態、或いは被着体（Ｗ）上の配置接触の状態に因らず、囲い空間（Ｃ）をより確実に気密形成することができる。尚後述の実施例では、囲い枠体（３３）全体が、外接触部との気密性を保持する弾性材からなる。他の形態として、囲い枠体（３３）の外周部全体が、外接触部との気密性を保持する弾性材によって覆設されてなるものでもよい。
【００５０】
実施例１では具体的には囲い枠体（３３）の表面部全体が弾性材で覆設されており、保持枠（３２）との加圧接触、及び被着体（Ｗ）との加圧接触によって、囲い空間（Ｃ）側部の気密性を保つものとなっている。また実施例１では、連結棒を回転させ、保持枠（３２）を締付ベース体（３）に近接するように下降させることで、被着体（Ｗ）上に配置された囲い枠体（３３）の接触面と、前記保持枠（３２）の対向接触面と、を近接させて加圧接触させると共に、被着体（Ｗ）上に配置された囲い枠体（３３）の接触面と、被着体（Ｗ）の対向接触面と、を近接させて加圧接触させる。
（締付ベース体（３）及び連結棒）
前記所定の部分加飾成形装置は、さらに、
前記被着体（Ｗ）の開口部（ＷＨ１）に係止して配設され、加飾成形範囲（ＭＡ）の外縁から被着体（Ｗ）の平面視外方に一部分が突出し得る締付ベース体（３）と、
締付ベース体（３）と保持枠（３２）とを上下連結し、この上下連結距離を短縮させ得る連結棒と、を具備してなる。
前記収容工程は、締付ベース体（３）を被着体（Ｗ）の開口部（ＷＨ１）に係止して配置した状態で、被着体（Ｗ）を下ボックス（１）内に収容するものであり、
前記フィルムセット工程は、保持枠（３２）を締付ベース体（３）の上方かつ囲い枠体（３３）の上方に配置して、保持枠（３２）と締付ベース体（３）とを、連結棒によって上下連結するものであり、
前記第二密閉工程は、上下連結した保持枠（３２）及び締付ベース体（３）の上下連結距離を短縮させて、締付ベース体（３）と保持枠（３２）との距離を近接させ、締付ベース体（３）と保持枠（３２）とによって囲い枠体（３３）を上下に挟圧し、被着体（Ｗ）の加飾成形範囲（ＭＡ）の上面と囲い枠体（３３）の枠内面と加飾フィルム（Ｆ）とによって囲われた囲い空間（Ｃ）を密閉形成する。
【００５１】
上記構成であれば、締付ベース体（３）と保持枠（３２）とによって、囲い枠体（３３）及び囲い枠体（３３）で囲んだ被着体（Ｗ）の加飾成形範囲（ＭＡ）の部分を挟み込むことで、囲い空間（Ｃ）を、簡易にかつ確実に密閉形成することができる。
【００５２】
例えば後述の実施例１では、連結棒を回転させ、保持枠（３２）を締付ベース体（３）に近接するように下降させることで、加飾成形範囲（ＭＡ）下部の締付ベース体（３）と、加飾成形範囲（ＭＡ）上部の保持枠（３２）との距離を近接させ、これら締付ベース体（３）と保持枠（３２）とで囲い枠体（３３）を上下に挟圧し、加飾成形範囲（ＭＡ）と囲い枠体（３３）の枠内面と加飾フィルム（Ｆ）とによって囲われた囲い空間（Ｃ）を密閉形成する。
【実施例２】
【００５３】
被着体（Ｗ）の一端部寄りの所定範囲の面を加飾成形範囲（ＭＡ）とし、所定の部分加飾成形装置を用いて、
この加飾成形範囲（ＭＡ）に加飾フィルム（Ｆ）を密着させて被着体（Ｗ）を部分加飾成形する、加飾フィルム（Ｆ）による部分加飾成形方法であって、
前記所定の部分加飾成形装置は、
上開口した下区画空間を有し、この下区画空間内に、前記加飾成形範囲（ＭＡ）を上に向けた被着体（Ｗ）を収容する下ボックス（１）と、
下開口した上空間（Ａ）を有し、この下開口と前記下ボックス（１）の前記上開口とを対向させ、下開口と上開口との間に加飾フィルム（Ｆ）を挟んだ状態で、上空間（Ａ）を前記下区画空間の上部に密閉連成し得る上ボックス（２）と、
上開口した下区画空間を有して下ボックス（１）内に配設され、この下区画空間によって下区画空間のうちの上部を区画し得るベース枠体（１６）と、
加飾成形範囲（ＭＡ）の平面投影面積よりも大きい枠孔を有し、この枠孔内に、横方向に拡げた加飾フィルム（Ｆ）の周部を保持して加飾フィルム（Ｆ）を張架し得る保持枠（３２）と、
前記上ボックス（２）が下ボックス（１）の上部に密閉配置された状態で、上空間（Ａ）内及び下区画空間内の圧力を制御する圧力制御装置と、を具備してなり、
前記所定の部分加飾成形装置を用いて、
下ボックス（１）内に被着体（Ｗ）を収容すると共にベース枠体（１６）を配設して下区画空間のうちの上部を区画し、前記被着体（Ｗ）の加飾成形範囲（ＭＡ）を含む少なくとも一部分を、この下区画空間内に収容して支持した状態とする区画収容工程と、
前記加飾成形範囲（ＭＡ）の平面投影面積よりも大きい加飾フィルム（Ｆ）を、上開口の上方又は下開口の下方で横方向に拡げ、加飾フィルム（Ｆ）の周部を保持枠（３２）で保持した状態とするフィルムセット工程と、
下ボックス（１）の上開口と上ボックス（２）の下開口とを対向させ、下開口と上開口との間に加飾フィルム（Ｆ）を挟んで上空間（Ａ）と下区画空間とを上下に連成し、密閉状態の上空間（Ａ）と密閉状態の下区画空間とを形成する第一密閉工程と、
前記圧力制御装置によって、密閉状態の下区画空間及び密閉状態の上空間（Ａ）を、互いに等圧の所定の第一圧力状態とする第一圧力調整工程と、
前記密閉状態の下区画空間において、加飾フィルム（Ｆ）又はその周部の保持枠（３２）と、ベース枠体（１６）と、を互いに接触させ、ベース枠体（１６）の枠内部に密閉状態の囲い空間（Ｃ）を形成する第二密閉工程と、
密閉状態の囲い空間（Ｃ）内を第一圧力状態に維持したまま、前記圧力制御装置によって、前記密閉状態の囲い空間（Ｃ）を除く密閉状態の下区画空間と密閉状態の上空間（Ａ）とを、前記減圧状態から瞬間的に加圧し、互いに等圧の第二圧力状態とする第二圧力調整工程と、からなる各工程を含み、
前記第二圧力調整工程によって、囲い空間（Ｃ）の加飾成形範囲（ＭＡ）に加飾フィルム（Ｆ）を部分加飾成形することを特徴とする、加飾フィルム（Ｆ）による部分加飾成形方法。
【００５４】
前記の第二密閉工程によれば、加飾成形範囲（ＭＡ）の加飾面のみを囲い枠で囲うことで、上部に加飾フィルム（Ｆ）が張設された密閉状態の囲い空間（Ｃ）を、第一圧力状態に制御された密閉状態の下区画空間内に形成することができる。前記の第二圧力調整工程によれば、密閉状態の囲い空間（Ｃ）内を第一圧力状態に維持した状態のまま、上空間（Ａ）内を瞬間的に加圧することで、上空間（Ａ）と囲い空間（Ｃ）の圧力差によって加飾成形範囲（ＭＡ）に瞬間的に加飾成形を行うことができる。また、前記の第二圧力調整工程によれば、上空間（Ａ）内と下区画空間内とを互いに等圧力のまま瞬間的に加圧することで、囲い空間（Ｃ）を除く下区画空間内には圧力差による影響が生じない。
【００５５】
このように上空間（Ａ）と下区画空間の間の第三の密閉空間として、下区画空間内に囲い空間（Ｃ）を形成することにより、被着体（Ｗ）の加飾面の裏側に窪みや孔や隙間がある場合であっても、第二圧力工程による急激な圧力差による影響を受けることがない。
また、被着体（Ｗ）を受け冶具等で支える場合でも、被着体（Ｗ）の下面側を同じ圧力とするための導圧回路を設ける必要がなく、被着体（Ｗ）の減圧時の成形保持性能に拘らず、複雑な形状の被着体（Ｗ）であっても、比較的簡易な構造で確実に被着体（Ｗ）の部分加飾成形を行うことができる。例えば範囲の裏側に微細な穴ないし孔、溶接部、接着部、或いは内部空間が存在していた場合でも、被着面の部分加飾成形範囲（ＭＡ）において密閉状態の囲い空間（Ｃ）が形成されることで、被着体（Ｗ）の成形部分が変形したり欠損したりすることなく、また、圧力漏れが生じることもない。
【００５６】
（囲いアングルの密閉形成）
実施例２では、規制アングル（４２）を下降させ、規制アングル（４２）の下部に接触させた保持枠（３２）をベース枠体（１６）の枠底面に近接するように下降させることで、被着体（Ｗ）の加飾成形範囲（ＭＡ）を含む接触面と、加飾フィルム（Ｆ）とを接触させる。前記保持枠（３２）の下降によって、被着体（Ｗ）の加飾成形範囲（ＭＡ）と加飾フィルム（Ｆ）とに囲われた囲い空間（Ｃ）が密閉形成される（図１３（ｅ））。
【００５７】
上記構成であれば、締付ベース体（３）と保持枠（３２）とによって、囲い枠体（３３）及び囲い枠体（３３）で囲んだ被着体（Ｗ）の加飾成形範囲（ＭＡ）の部分を挟み込むことで、囲い空間（Ｃ）を、簡易にかつ確実に密閉形成することができる。
【００５８】
例えば後述の実施例１では、連結棒を回転させ、保持枠（３２）を締付ベース体（３）に近接するように下降させることで、加飾成形範囲（ＭＡ）下部の締付ベース体（３）と、加飾成形範囲（ＭＡ）上部の保持枠（３２）との距離を近接させ、これら締付ベース体（３）と保持枠（３２）とで囲い枠体（３３）を上下に挟圧し、加飾成形範囲（ＭＡ）と囲い枠体（３３）の枠内面と加飾フィルム（Ｆ）とによって囲われた囲い空間（Ｃ）を密閉形成する。
【００５９】
前記の第二密閉工程によれば、加飾成形範囲（ＭＡ）の加飾面のみを囲い枠で囲うことで、上部に加飾フィルム（Ｆ）が張設された密閉状態の囲い空間（Ｃ）を、第一圧力状態に制御された密閉状態の下空間内に形成することができる。前記の第二圧力調整工程によれば、密閉状態の囲い空間（Ｃ）内を第一圧力状態に維持した状態のまま、上空間（Ａ）内を瞬間的に加圧することで、上空間（Ａ）と囲い空間（Ｃ）の圧力差によって加飾成形範囲（ＭＡ）に瞬間的に加飾成形を行うことができる。また、前記の第二圧力調整工程によれば、上空間（Ａ）内と下空間内とを互いに等圧力のまま瞬間的に加圧することで、囲い空間（Ｃ）を除く下空間（Ｂ）内には圧力差による影響が生じない。
【００６０】
このように上空間（Ａ）と下空間の間の第三の密閉空間として、下空間内に囲い空間（Ｃ）を形成することにより、被着体（Ｗ）の加飾面の裏側に窪みや孔や隙間がある場合であっても、第二圧力工程による急激な圧力差による影響を受けることがない。
また、被着体（Ｗ）を受け冶具等で支える場合でも、被着体（Ｗ）の下面側を同じ圧力とするための導圧回路を設ける必要がなく、被着体（Ｗ）の減圧時の成形保持性能に拘らず、複雑な形状の被着体（Ｗ）であっても、比較的簡易な構造で確実に被着体（Ｗ）の部分加飾成形を行うことができる。例えば範囲の裏側に微細な穴ないし孔、溶接部、接着部、或いは内部空間が存在していた場合でも、被着面の部分加飾成形範囲（ＭＡ）において密閉状態の囲い空間（Ｃ）が形成されることで、被着体（Ｗ）の成形部分が変形したり欠損したりすることなく、また、圧力漏れが生じることもない。
【００６１】
前記の工程であれば、圧力制御装置として少なくとも、上ボックス（２）及び下ボックス（１）に連通する連通管とこれに接続する減圧ポンプを有していればよく、連通管をバイパスさせて減圧ポンプに連通させることで、簡易な機構をもって確実な圧力制御を行うことができる。
【００６２】
前記第一密閉工程によれば、上下移動可能な保持枠（３２）を、予め上開口の上部近傍ないし下開口の下部近傍に配置しており、この保持枠（３２）によって保持した加飾フィルム（Ｆ）を、上下に密閉連成された上空間（Ａ）ないし下空間の内部に収容することとなる。この状態では下空間内に囲い空間（Ｃ）は形成されておらず、その後の第一圧力調整工程によって、下空間全体が第一圧力状態に調整される。そして続く第二密閉工程によって、第一圧力状態で密閉された下空間内に、同じく第一圧力状態で密閉された囲い空間（Ｃ）が形成される。密閉状態の下空間内で保持枠（３２）を上下移動させ、気密性を保つまで接触させることで、第一圧力状態の囲い空間（Ｃ）が容易に形成されることとなる。また上下移動可能な保持枠（３２）を使用することで、被着体（Ｗ）を上方へ大幅に動かすことなく、容易かつ確実に囲い空間（Ｃ）を密閉形成することができる。
【００６３】
後述の実施例１では、連結棒を回転させ、保持枠（３２）を囲い枠体（３３）に接触するまで下降させることで、被着体（Ｗ）上に配置された囲い枠体（３３）の上接触面と、保持枠（３２）下部の対向接触面と、を接触させる。加飾成形範囲（ＭＡ）の平面視外方の被着体（Ｗ）上には予め囲い枠体（３３）が接触配置されており、保持枠（３２）の枠内部には予め加飾フィルム（Ｆ）が張架してセットされている。このため、前記囲い枠体（３３）と保持枠（３２）との対向接触によって、被着体（Ｗ）の加飾成形範囲（ＭＡ）と囲い枠体（３３）の枠内面と加飾フィルム（Ｆ）とに囲われた囲い空間（Ｃ）が密閉形成される（図９（ａ）（ｂ））。
【００６４】
実施例１のように囲い枠体（３３）を用いた第二密閉工程であれば、下降した保持枠（３２）との接触状態、或いは被着体（Ｗ）上の配置接触の状態に因らず、囲い空間（Ｃ）をより確実に気密形成することができる。実施例１では、囲い枠体（３３）全体が、外接触部との気密性を保持する弾性材からなる。他の形態として、囲い枠体（３３）の外周部全体が、外接触部との気密性を保持する弾性材によって覆設されてなるものでもよい。
【００６５】
実施例１では、連結棒を回転させ、保持枠（３２）を締付ベース体（３）に近接するように下降させることで、被着体（Ｗ）上に配置された囲い枠体（３３）の接触面と、前記保持枠（３２）の対向接触面と、を近接させて加圧接触させると共に、被着体（Ｗ）上に配置された囲い枠体（３３）の接触面と、被着体（Ｗ）の対向接触面と、を近接させて加圧接触させる。
【００６６】
また実施例２では、規制アングル（４２）を下降させ、規制アングル（４２）の下部に接触させた保持枠（３２）をベース枠体（１６）の枠底面に近接するように下降させることで、被着体（Ｗ）の加飾成形範囲（ＭＡ）を含む接触面と、加飾フィルム（Ｆ）とを接触させる。前記保持枠（３２）の下降によって、被着体（Ｗ）の加飾成形範囲（ＭＡ）と加飾フィルム（Ｆ）とに囲われた囲い空間（Ｃ）が密閉形成される（図１３（ｅ））。
【００６７】
実施例２のように被着体を受け冶具等で支える場合でも、被着体の下面側を同じ圧力とするための導圧回路を設ける必要がなく、被着体の減圧時の成形保持性能に拘らず、複雑な形状の被着体であっても、比較的簡易な構造で確実に被着体の部分加飾成形を行うことができる。例えば範囲の裏側に微細な穴ないし孔、溶接部、接着部、或いは内部空間が存在していた場合でも、被着面の部分加飾成形範囲において密閉状態の囲い空間が形成されることで、被着体の成形部分が変形したり欠損したりすることなく、また、圧力漏れが生じることもない。
【００６８】
本発明では、被着体の上部に囲い枠体を接触させて加飾成形範囲を囲い、被着体を収容して密閉状態の上空間と密閉状態の下空間とを形成し、密閉状態の下空間及び上空間を、互いに等圧の所定の第一圧力状態としたのちに、加飾フィルムと加飾成形範囲の被着体とに上下を囲われた密閉状態の囲い空間を形成する。そして囲い空間内を第一圧力状態に維持したまま、囲い空間周囲の下空間と上空間とを、前記減圧状態から瞬間的に加圧し、互いに等圧の第二圧力状態とすることによって、囲い空間の加飾成形範囲に加飾フィルムを部分加飾成形する。但し下空間と上空間とは互いに等圧のまま瞬間的に加圧する。このように上空間と下区画空間の間の第三の密閉空間として、下区画空間内に囲い空間を形成することにより、被着体の加飾面の裏側に窪みや孔や隙間がある場合であっても、第二圧力工程による急激な圧力差による影響を受けることがない。
【００６９】
前記の第二密閉工程によれば、加飾成形範囲の加飾面のみを囲い枠で囲うことで、上部に加飾フィルムが張設された密閉状態の囲い空間を、第一圧力状態に制御された密閉状態の下区画空間内に形成することができる。前記の第二圧力調整工程によれば、密閉状態の囲い空間内を第一圧力状態に維持した状態のまま、上空間内を瞬間的に加圧することで、上空間と囲い空間の圧力差によって加飾成形範囲に瞬間的に加飾成形を行うことができる。また、前記の第二圧力調整工程によれば、上空間内と下区画空間内とを互いに等圧力のまま瞬間的に加圧することで、囲い空間を除く下区画空間内には圧力差による影響が生じない。
【符号の説明】
【００７０】
Ｆ、Ｆ´、Ｆ´´  加飾フィルム
Ｆ０  加飾フィルムロール
ＭＡ  加飾成形範囲
ＭＤ  窪み部
Ｗ  被着体
ＷＨ１  ＷＨ２  ＷＨ３  開口部
１  下ボックス
１Ｐ  下連通管
１１  側枠
１２  枠上面
１３  底板（Ｏ：引出し状態、Ｉ：収納状態）
１４  前扉（Ｏ：開状態、Ｓ：閉状態）
１４１  ガスケット
１０１  前開口（Ｏ：開状態、Ｓ：閉状態）
１０２  上開口
１６  ベース枠体（１６）
１６１  側枠  １６２  上枠
１７  受け冶具
１８  支柱
２  上ボックス
２Ｈ  ヒーター
２Ｐ  上連通管
２１  側枠           ２１１  支持アーム
２２  枠下面        ２０２  下開口
２３  スライド保持枠
２４  スライド台
２４１  扉レール
３１  締付ベース体                          ３１Ｃ  接続孔
３２  保持枠（Ｕ：上昇位置、Ｍ：中間位置、Ｌ：下降位置）
３２１  下固定枠               ３２２  上固定枠
３３  囲い枠体（Ｐ：圧縮状態）
３３１Ｈ、３３Ｈ、３３Ｈ´  枠厚さ
３３０  枠内
３１３、３３３、３４  連結棒
Ａ  上空間
Ｂ  囲い空間を除く下空間
Ｃ  囲い空間
３２  フィルム保持枠
３２Ａ  フィルム保持上枠               ３２Ｂ  フィルム保持下枠
３３  気密枠
３４  枠駆動アーム
４  保持規制体（Ｕ：上昇位置、Ｍ：中間位置、Ｌ：下降位置）
４１  保持バンド
４２  規制アングル（Ｕ：上昇位置、Ｍ：中間位置、Ｌ：下降位置）
【図１】
2020049951.tif 000003
【図２】
2020049951.tif 000004
【図３】
2020049951.tif 000005
【図４】
2020049951.tif 000006
【図５】
2020049951.tif 000007
【図６】
2020049951.tif 000008
【図７】
2020049951.tif 000009
【図８】
2020049951.tif 000010
【図９】
2020049951.tif 000011
【図１０】
2020049951.tif 000012
【図１１】
2020049951.tif 000013
【図１２】
2020049951.tif 000014
【図１３】
2020049951.tif 000015
【図１４】
2020049951.tif 000016
【図１５】
2020049951.tif 000017
【図１６】
2020049951.tif 000018
【図１７】
2020049951.tif 000019
【図１８】
2020049951.tif 000020
【図１９】
2020049951.tif 000021
【図２０】
2020049951.tif 000022
【図２１】
2020049951.tif 000023
【図２２】
2020049951.tif 000024
【図２３】
2020049951.tif 000025
【図２４】
2020049951.tif 000026